(57)【要約】【課題】商品の追加補充を可能にして商品の収容数を向上させて、無駄なスペースを削減することができる自動販売機を提供すること。【解決手段】内部に複数の商品を並べた状態で収納してある商品収納箱２０と、商品を一つずつ払い出す商品払出手段３０ｂを有したベース３０とを備え、商品払出手段３０ｂの上方域である商品収納領域３０ａに商品収納箱２０を相互に積み重ねた態様でベース３０に取り付けて商品収納ラック１０を構成した自動販売機であって、商品収納箱２０の側面上部に商品を投入するための開口である商品投入口２３ａと、商品投入口２３ａを開閉する態様で揺動可能に設けられ、常態においては商品投入口２３ａを閉成する一方、商品が投入される場合には、該商品に当接されて揺動することにより商品投入口２３ａを開成するフラッパ部材２３とを備えている。【選択図】        図４
2008299609.tif 000002
【特許請求の範囲】
【請求項１】
上面および下面が開放面として形成された箱体であって、下端部に配設されたストッパ機構により内部に複数の商品を横倒しの姿勢で並べた状態で収納してある商品収納箱と、
自動販売機本体の内部に立設され、商品を一つずつ払い出す商品払出手段を有したベースと
を備え、前記商品払出手段の上方域である商品収納領域に、前記商品収納箱を相互に積み重ねた態様で前記ベースに取り付けた後、前記ストッパ機構を開放移動させることにより該商品収納箱の下面を開放して商品収納ラックを構成し、払出指令に応じて前記商品払出手段が駆動した場合に収納した商品を個別に払い出して販売するようにした自動販売機であって、
前記商品収納箱の側面上部に商品を投入するための開口である商品投入口と、
前記商品投入口を開閉する態様で揺動可能に設けられ、常態においては商品投入口を閉成する一方、商品が投入される場合には、該商品に当接されて揺動することにより商品投入口を開成するフラッパ部材と
を備えたことを特徴とする自動販売機。
【請求項２】
前記フラッパ部材が前記商品投入口を通過する態様で外方に揺動することを規制する規制部材を設けたことを特徴とする請求項１に記載の自動販売機。
【発明の詳細な説明】
【技術分野】
【０００１】
本発明は、例えば缶入り飲料、瓶入り飲料、紙パック入り飲料およびペットボトル入り飲料等の各種商品を収納した販売する自動販売機に関するものである。
【背景技術】
【０００２】
従来、例えば缶入り飲料、瓶入り飲料、紙パック入り飲料およびペットボトル入り飲料等の各種商品を収納して販売する自動販売機として、直積式の商品収納ラックを備えたものが知られている。
【０００３】
このような直積式の商品収納ラックは、商品収納箱と、ベースとを備えて構成されているのが一般的である。商品収納箱は、直方状の形態を成す箱体であり、内部に予め複数の商品が並べた状態で収納されている。ベースは、自動販売機本体である本体キャビネットの内部に立設された矩形板状体であり、その正面および裏面の下部に商品を一つずつ払い出す商品払出手段が設けられている。
【０００４】
そして、商品払出手段の上方域に商品が互いに積層するよう商品収納箱を相互に積み重ねた状態でベースに取り付けた後、商品収納箱の上面および下面がそれぞれ開放させることにより商品収納ラックを構成していた（例えば、特許文献１参照）。
【０００５】
【特許文献１】特開２００５−３８３３４号公報
【発明の開示】
【発明が解決しようとする課題】
【０００６】
ところが、上述したような商品収納ラックを備えた自動販売機では、商品払出手段の上方域に商品が互いに積層するよう商品収納箱を相互に積み重ねた状態でベースに取り付けた後、商品収納箱の上面および下面がそれぞれ開放させることにより商品収納ラックを構成していたために、商品が落下移動する結果、上方側にある商品収納箱の内部には大きなスペースが生じてしまい、スペースの無駄が大きな課題となっていた。
【０００７】
本発明は、上記実情に鑑みて、商品の追加補充を可能にして商品の収容数を向上させて、無駄なスペースを削減することができる自動販売機を提供することを目的とする。
【課題を解決するための手段】
【０００８】
上記目的を達成するために、本発明の請求項１に係る自動販売機は、上面および下面が開放面として形成された箱体であって、下端部に配設されたストッパ機構により内部に複数の商品を横倒しの姿勢で並べた状態で収納してある商品収納箱と、自動販売機本体の内部に立設され、商品を一つずつ払い出す商品払出手段を有したベースとを備え、前記商品払出手段の上方域である商品収納領域に、前記商品収納箱を相互に積み重ねた態様で前記ベースに取り付けた後、前記ストッパ機構を開放移動させることにより該商品収納箱の下面を開放して商品収納ラックを構成し、払出指令に応じて前記商品払出手段が駆動した場合に収納した商品を個別に払い出して販売するようにした自動販売機であって、前記商品収納箱の側面上部に商品を投入するための開口である商品投入口と、前記商品投入口を開閉する態様で揺動可能に設けられ、常態においては商品投入口を閉成する一方、商品が投入される場合には、該商品に当接されて揺動することにより商品投入口を開成するフラッパ部材とを備えたことを特徴とする。
【０００９】
また、本発明の請求項２に係る自動販売機は、上述した請求項１において、前記フラッパ部材が前記商品投入口を通過する態様で外方に揺動することを規制する規制部材を設けたことを特徴とする。
【発明の効果】
【００１０】
本発明に係る自動販売機によれば、フラッパ部材が、商品収納箱の側面上部に商品を投入するための開口である商品投入口を開閉する態様で揺動可能に設けられ、常態においては商品投入口を閉成する一方、商品が投入される場合には、該商品に当接されて揺動することにより商品投入口を開成するので、商品の追加補充を可能にして商品の収容数を向上させて、無駄なスペースを削減することができるという効果を奏する。
【発明を実施するための最良の形態】
【００１１】
以下に添付図面を参照して、本発明に係る自動販売機の好適な実施の形態について詳細に説明する。
【００１２】
図１は、本発明の実施の形態における自動販売機の内部構造を模式的に示した斜視図であり、一部を断面で示している。ここに例示する自動販売機は、本体キャビネット１および外扉（図示せず）を備えて構成してある。
【００１３】
本体キャビネット１は、正面が開口した直方状の形態を成し、複数の鋼板を適宜組み合わせることによって形成したものである。外扉は、図には明示しないが、本体キャビネット１の開口部を覆うのに十分な大きさを有したもので、鋼材により堅牢に形成してある。この外扉は、本体キャビネット１の開口部を開閉可能にする態様で該本体キャビネット１の一側縁部に支承してある。また、図には明示していないが、外扉には、その正面側に商品見本を展示する展示室と、商品を選択するための商品選択ボタンと、硬貨を投入するための硬貨投入口と、紙幣を挿入するための紙幣挿入口と、商品を取り出すための商品取出口と、硬貨を返却するための硬貨返却口とが設けてある一方、その背面側に自動販売機の動作を制御するための制御基板と、硬貨投入口から受け入れた硬貨の金銭処理を行う硬貨処理装置と、紙幣挿入口から受け入れた紙幣の金銭処理を行う紙幣処理装置とが設けてある。
【００１４】
上記本体キャビネット１の内部には、商品収容庫２が設けてある。より詳細には、本体キャビネット１の内部は、断熱底壁３により上下に区画されており、下方側に機械室４が設けてある一方、上方側に商品収容庫２が設けてある。機械室４には、自動販売機の種々の機器が配設してあり、図には明示しないが、圧縮機や凝縮器等が配設してある。
【００１５】
商品収容庫２は、例えば缶入り飲料、瓶入り飲料、紙パック入り飲料およびペットボトル入り飲料等の各種商品を所望の温度状態に維持して収容するためのものであり、断熱構造を有している。商品収容庫２の正面は、本体キャビネット１と同様に正面が開口してあり、断熱扉体である内扉（図示せず）により開閉可能となっている。
【００１６】
この商品収容庫２の下部には、商品シュータ５が設けてある。商品シュータ５は、後方側（奥方側）から正面側（手前側）に向けて漸次下方に傾斜する態様で形成してあり、後述する商品収納ラックから払い出された商品を転動させて商品取出口に導くためのものである。この商品シュータ５の下方域には、熱交換器としての蒸発器６が形成してある。この蒸発器６は、図には明示しないが、機械室４に配設された圧縮機および凝縮器等と冷媒配管を通じて接続されて冷凍ユニットを構成し、周囲を通過する空気、すなわち商品収容庫２の内部空気（内部雰囲気）を冷却するためのものである。
【００１７】
従って、上記商品収容庫２では、内部空気を冷却することにより収容する商品を所望の冷却温度に冷却して維持するものである。尚、図示の例では、本体キャビネット１の内部に商品収容庫２が一つ設けたものであるが、本発明においては、商品収容庫２が本体キャビネット１の内部に複数設けてあっても良い。商品収容庫２が本体キャビネット１の内部に複数（少なくとも２つ）設けてある場合には、その内部に収容した商品を冷却、あるいは加熱した状態でそれぞれ収容できる。
【００１８】
そのような商品収容庫２の内部には、商品収納ラック１０が設けてある。この商品収納ラック１０は、商品収納箱２０と、ベース３０とを備えて構成してあり、引出手段７を介して本体キャビネット１に支持されている。ここで、引出手段７は、固定レール（図示せず）と支持レール７ａとで構成してある。固定レールおよび支持レール７ａは、それぞれ長手状に形成してある。固定レールは、商品収容庫２の奥行き方向に沿って固定してあり、支持レール７ａを長手方向に摺動可能に支持している。支持レール７ａは、一の商品収納ラック１０を構成する各ベース３０の上端部分を支持している。つまり、図１に示すように、固定レールに沿って支持レール７ａが摺動することにより、商品収納ラック１０が商品収容庫２の正面開口部であって本体キャビネット１の正面開口部から外部に引き出されることになる。
【００１９】
図２は、図１に示した商品収納ラックの要部を示す斜視図であり、商品収納箱を取り外した状態で示している。また、図３および図４は、図２に示した商品収納箱の内部構造を模式的に示すものであり、図３は、商品収納箱の内部構造を側方から見た場合を示す断面側面図であり、図４は、商品収納箱の内部構造を正面から見た場合を示す断面図である。これら図２〜図４を適宜用いて商品収納箱２０について説明する。
【００２０】
商品収納箱２０は、上面および下面が開放面として形成された直方状の箱体である。本実施の形態においては、同じ大きさでかつ同じ構造を有する商品収納箱２０が適用されているものとして説明する。
【００２１】
このような商品収納箱２０には、ストッパ機構２１、調整部材２２、フラッパ部材２３および係合片２４が設けてある。
【００２２】
ストッパ機構２１は、軸部２１１の軸心回りに図３中の矢印方向に移動する、すなわち開放移動および閉塞移動する態様で揺動可能に配設されたストッパ片２１２を備えて構成してある。このストッパ機構２１は、ストッパ片２１２が図３に示すように閉塞移動して閉塞位置にある場合に、商品収納箱２０の下面を略閉塞した状態になる。このようにストッパ片２１２が閉塞位置に位置することにより、図示のように内部に商品を横倒しの姿勢で並べた状態で収納することが可能になる。一方、図には明示しないが、ストッパ機構２１は、閉塞位置から下方に向けて開放移動した場合には、商品収納箱２０の下面を開放した状態になる。このようにストッパ片２１２が開放移動することにより、内部に収納してある商品の下方への移動を許容することになる。そのようなストッパ機構２１は、常態においては、ストッパ片２１２は閉塞位置に位置しており、これにより商品収納箱２０の内部には複数の商品が横倒しの姿勢で並べられた状態で収納されている。
【００２３】
調整部材２２は、上下方向に延在し、かつ商品収納箱２０の内部幅よりも僅かに小さい幅を有した板状体であって、図４中の矢印方向に沿って水平移動可能となっている。このような調整部材２２は、水平移動することにより、収納される商品の商品長さ（商品高さ）に応じて商品収納箱２０の商品収納域の大きさ（長さ）を調整するためのものである。
【００２４】
フラッパ部材２３は、商品収納箱２０の一側面、本実施の形態では右側面の上部に形成された商品投入口２３ａを開閉させるためのものである。ここで、本実施の形態において、右側とは、自動販売機を正面から見た場合の右方を示し、左側とは、自動販売機を正面から見た場合の左方を示しているものとして説明する。商品投入口２３ａは、上述のように、商品収納箱２０の右側面上部に形成された開口であり、商品を投入するためのものである。
【００２５】
このようなフラッパ部材２３は、商品収納箱２０の正面側の前板２０ａおよび背面側の後板２０ｂに軸支されて図４中の矢印方向に沿って揺動可能、すなわち商品投入口２３ａを開閉する態様で揺動可能に設けてある。より詳細に説明すると、フラッパ部材２３は、常態においては、図４に示すように商品投入口２３ａを内方（左方）より閉成する一方、商品が投入される場合には、該商品に当接されて内方に向けて揺動することにより商品投入口２３ａを開成するものである。
【００２６】
また、商品投入口２３ａの開口縁部には規制部材２５が設けてある。規制部材２５は、フラッパ部材２３が商品投入口２３ａを通過する態様で外方（右方）に揺動することを規制するためのものである。
【００２７】
係合片２４は、本実施の形態では複数（８つ）設けてあり、商品収納箱２０の前板２０ａおよび後板２０ｂのそれぞれの所定個所に４つずつ設けてある。この係合片２４は、前板２０ａおよび後板２０ｂからそれぞれ正面方向および背面方向に突出する部分が下方に屈曲されることにより構成されたものである。これら係合片２４のうち、右方側のものには、下方に突出する突出端部２４ａが形成してある。また、商品収納箱２０の前板２０ａおよび後板２０ｂの右方側の所定個所には矩形状の係止孔２６が形成してある。
【００２８】
そのような商品収納箱２０において、商品投入口２３ａが形成された側面に対向する側面、すなわち左側面には、凹部２７と凸部２８とが形成してある。凹部２７は、左側面の下部に形成してある一方、凸部２８は、左側面の上部に形成してある。これら凹部２７と凸部２８とは、互いに適合する形状を有している。これについては後述する。
【００２９】
ベース３０は、上述したように上端部分が支持レール７ａ（引出手段７）に支持されており、上下方向に延在する矩形板状体である。より詳細には、ベース３０は、その板面を商品収容庫２の正面側および背面側に向ける形態で、その上端部分が商品収容庫２の天板に引出手段７を介して支持されており、商品収容庫２の正面開口部から背面側に向けた奥行き方向に同じものが複数（図示の例では３つ）並設してある。
【００３０】
このベース３０の正面および背面の下部には、ベンド機構と称される商品払出手段３０ｂが設けてある。商品払出手段３０ｂは、詳細は後述するが、商品を一つずつ払い出すためのものである。このようなベース３０の正面側および背面側における商品払出手段３０ｂの上方域は、上記商品収納箱２０を取り付けるための商品収納領域３０ａとなっており、ベース３０の正面および背面のうちかかる商品収納領域３０ａに対向する部分は、商品収納箱２０の取付面となっている。
【００３１】
そして、ベース３０の取付面、すなわち正面および背面のうち商品収納領域３０ａに対向する部分には、レール部材３１および係止部材３２が設けてある。レール部材３１は、正面および背面にそれぞれ複数（図示の例では２つ）設けてあり、左右方向に沿って延在するものである。このレール部材３１は、正面および背面からそれぞれ正面方向および背面方向に突出する部分が上方に屈曲されることにより構成してある。そして、それぞれのレール部材３１の右方側の所定個所には、係合孔３１ａが形成してある。かかる係合孔３１ａは、商品収納箱２０の係合片２４の一部、すなわち突出端部２４ａが進入するのに必要十分な大きさとなっている。
【００３２】
このようなレール部材３１は、上記係合片２４と係合した状態で商品収納箱２０の商品収納領域３０ａにおける水平移動、すなわち左右方向に沿った移動を許容するとともに、係合片２４の一部である突出端部２４ａが係合孔３１ａに進入した場合に商品収納箱２０の商品収納領域３０ａにおける水平移動を規制するためのものである。
【００３３】
係止部材３２は、図２および図５に示すように、一端３２ａがベース３０の取付面に取り付けられ、かつ他端３２ｂがベース３０の側面から突出した態様で配設してある。より詳細に説明すると、ベース３０の取付面（正面および背面）には、側面に向けて貫通し、かつ水平方向に延在する貫通孔が形成してあり、該貫通孔を貫通する態様で、すなわち水平方向に延在する態様で板状の係止部材３２が設けてある。この係止部材３２は、その途中で屈曲されて商品収納領域３０ａに向けて凸となる係止端部３３が形成してある。係止端部３３は、常態においては、取付面（正面および背面）より商品収納領域３０ａに進出した状態にある。つまり、係止部材３２は、常態においては、係止端部３３が商品収納領域３０ａに進出した状態でベース３０に設けてある。また、この係止部材３２の配設個所について詳細に説明すると、レール部材３１の係合孔３１ａに係合片２４の突出端部２４ａが進入した場合に、係止端部３３が商品収納箱２０の係止孔２６に進入することが可能になる個所に設けてある。
【００３４】
このような係止部材３２は、いわゆる板バネのようなものであり、係止端部３３に商品収納領域３０ａから押圧力が加えられると、弾性力に抗して係止端部３３が商品収納領域３０ａから退避移動して貫通孔に進入する一方、上記押圧力が解除されると、弾性復元力により係止端部３３が進出移動して商品収納領域３０ａに進出した状態になるものである。これにより、係止部材３２は、商品収納領域３０ａを水平移動する商品収納箱２０に押圧された場合には、弾性力に抗して係止端部３３が商品収納領域３０ａから退避移動して該商品収納箱２０の水平移動を許容する一方、係合片２４の突出端部２４ａがレール部材３１の係合孔３１ａに進入して商品収納箱２０の商品収納領域３０ａにおける水平移動が規制された場合には、該商品収納箱２０に形成された係止孔２６に、弾性復元力により係止端部３３が進出移動して挿通することになる。
【００３５】
上記商品収納箱２０は、次のようにしてベース３０に取り付けられる。商品収納箱２０の係合片２４をレール部材３１に係合させ、かかる係合した状態を保持して商品収納箱２０を左右方向に水平移動させる。そして、係合片２４の突出端部２４ａがレール部材３１の係合孔３１ａに進入することにより該水平移動が規制されることになり、商品収納箱２０の左右方向における位置が決められることになる。このように商品収納箱２０を水平移動させている際に、商品収納箱２０により係止部材３２の係止端部３３は押圧され、かかる押圧力により弾性力に抗して退避移動して商品収納箱２０の水平移動を許容し、突出端部２４ａが係合孔３１ａに進入して商品収納箱２０の水平移動が規制されると、係止端部３３に対応する個所には係止孔２６が位置していることから、弾性復元力により係止端部３３が係止孔２６に進入して商品収納箱２０は、上下方向に沿って移動が規制された状態でベース３０に取り付けられることになる。このようにして商品収納領域３０ａに商品収納箱２０を相互に積み重ねた態様でベース３０に取り付けることにより、図１に示すように各ベース３０の取付面（正面および背面）に上下２つの商品収納箱２０が取り付けられることになる。
【００３６】
そして、上述したように商品収納箱２０のそれぞれの左側面には、上部に凸部２８が形成され、下部に凹部２７が形成されており、これら凸部２８と凹部２７とは互いに適合する形状を有していることから、図６および図７に示すように、凸部２８の傾斜面２８ａと凹部２７の傾斜面２７ａとが当接した態様で商品収納箱２０は、ベース３０に取り付けられることになる。
【００３７】
複数（本実施の形態では３つ）のベース３０のうち、正面側にある２つのベース３０の上部には、図８および図９に示すように、支持部材４１とアダプタ部材４２とが設けてある。支持部材４１は、ベース３０の上部に取り付けられた取付部４１１と、この取付部４１１の左端より正面方向、あるいは背面方向に延在する延在部４１２とを備えて構成してある。
【００３８】
アダプタ部材４２は、その横断面がＬ字状を成し、支持部材４１に水平移動可能となる態様で支持されている。より詳細には、左右方向に延在し、かつ支持部材４１に取り付けられた左右延在部４２１と、該左右延在部４２１の左端より正面方向、あるいは背面方向に延在する前後延在部４２２とが連続して形成されて成るものである。左右延在部４２１は、段付きネジ４３等で水平移動可能に固定されている。このようなアダプタ部材４２は、前後延在部４２２の位置を商品収納箱２０の調整部材２２の位置と一致させる態様で水平移動させることにより、最上位の商品収納箱２０の上方域に商品収納域４０ａを画成するものである。
【００３９】
以上説明したようにベース３０に取り付けた商品収納箱２０のストッパ機構２１を開放移動させることにより、各商品収納箱２０に収納された商品が相互に積み重なる態様で商品払出手段３０ｂの上方域に載置されて商品収納ラック１０が構成されることになる。
【００４０】
このようにストッパ機構２１を開放移動させる結果、商品が落下移動し、これにより上方側にある商品収納箱２０の内部には大きなスペースが生じてしまうことになるが、商品収納箱２０の右側面上部には商品投入口２３ａが形成してあるために、図１０および図１１に示すように、フラッパ部材２３を内方に揺動させて開成した商品投入口２３ａを通じて商品収納箱２０の内部に商品を追加補充することができる。
【００４１】
また、アダプタ部材４２により最上位の商品収納箱２０の上方域に商品収納域４０ａを画成することができるので、かかる領域にも図８および図９に示すように商品を投入することができ、商品を追加補充することができる。
【００４２】
ところで、係止部材３２の他端３２ｂ、すなわちベース３０の側面より突出する部分を押圧して、係止端部３３を退避移動させることにより、該係止端部３３を係止孔２６より離脱させ、その後係合片２４の突出端部２４ａをレール部材３１の係合孔３１ａより離脱させることにより、商品収納箱２０をベース３０より容易に取り外すことが可能になる。つまり、レール部材３１および係止部材３２は、商品払出手段３０ｂの上方域である商品収納領域３０ａに商品収納箱２０を相互に積み重ねた態様で個別にベース３０に着脱可能に取り付ける取付手段を構成している。
【００４３】
以上説明したように、本実施の形態における自動販売機によれば、レール部材３１が、商品収納箱２０に形成された係合片２４と係合した状態で該商品収納箱２０の商品収納領域３０ａにおける水平移動を許容するとともに、係合片２４の突出端部２４ａが係合孔３１ａに進入した場合に該商品収納箱２０の商品収納領域３０ａにおける水平移動を規制し、常態においては係止端部３３が商品収納領域３０ａに進出した状態でベース３０に設けられた係止部材３２が、商品収納領域３０ａを水平移動する商品収納箱２０に押圧された場合には、弾性力に抗して係止端部３３が商品収納領域３０ａから退避移動して該商品収納箱２０の水平移動を許容する一方、係合片２４の一部が前記レール部材３１の係合孔３１ａに進入して商品収納箱２０の商品収納領域３０ａにおける水平移動が規制された場合には、該商品収納箱２０に形成された係止孔２６に、弾性復元力により係止端部３３が進出移動して挿通するので、商品収納箱２０の左右方向の移動を規制するだけでなく、上下方向に移動を規制することができる。また、係合片２４の突出端部２４ａを係合孔３１ａに進入させ、かつ係止部材３２の弾性復元力を利用して係止端部３３を係止孔２６に進入させるだけなので、取付作業が容易である。従って、商品収納箱２０をベース３０に容易に取り付けることができるとともに、一旦ベース３０に取り付けた商品収納箱２０が落下する虞れがない。
【００４４】
上記自動販売機によれば、相互に積み重なる関係にある商品収納箱２０の互いに対応する左側面の上部に形成した凸部２８と、下部に形成した凹部２７との互いの傾斜面２７ａ，２８ａが当接する態様でベース３０に取り付けてあるので、例えば経時的劣化等により商品収納箱２０の形態が多少変化しても、相互に積み重なる関係にある商品収納箱２０のうち上側の商品収納箱２０の下面の位置と、下側の商品収納箱２０の上面の位置との間にずれを抑制することができ、これにより、上側の商品収納箱２０の内部から下側の商品収納箱２０の内部に向けて通過する商品が、下側の商品収納箱２０の上縁部に当接して引っ掛かる虞れがない。従って、商品詰まりの発生を良好に抑制することができる。
【００４５】
また、自動販売機によれば、支持部材４１に水平移動可能に支持されたアダプタ部材４２が、最上位に取り付けた商品収納箱２０の上方域に該商品収納箱２０の内部に通じる商品収納域４０ａを画成するので、商品の追加補充が可能になり、これにより、最上位の商品収納箱２０の上方域のスペースを有効に活用して商品の収容数を向上させることができる。
【００４６】
更に、自動販売機によれば、商品収納箱２０の右側面上部に商品投入口２３ａを形成し、フラッパ部材２３が、常態においては商品投入口２３ａを閉成する一方、商品が投入される場合には、該商品に当接されて揺動することにより商品投入口２３ａを開成するので、商品の追加補充を可能にして商品の収容数を向上させて、無駄なスペースを削減することができる。特に、規制部材２５により、フラッパ部材２３が商品投入口２３ａを通過して外方に揺動することが規制されているので、内部に収納された商品が商品投入口２３ａを通じて外部に放出される虞れはない。
【産業上の利用可能性】
【００４７】
以上のように、本発明に係る自動販売機は、例えば缶入り飲料、瓶入り飲料、紙パック入り飲料およびペットボトル入り飲料等の各種商品を収納した販売するのに有用である。
【図面の簡単な説明】
【００４８】
【図１】本発明の実施の形態における自動販売機の内部構造を模式的に示した斜視図であり、一部を断面で示している。
【図２】図１に示した商品収納ラックの要部を示す斜視図であり、商品収納箱を取り外した状態で示している。
【図３】図２に示した商品収納箱の内部構造を模式的に示すものであり、商品収納箱の内部構造を側方から見た場合を示す断面側面図である。
【図４】図２に示した商品収納箱の内部構造を模式的に示すものであり、商品収納箱の内部構造を正面から見た場合を示す断面図である。
【図５】ベースの取付面の要部を拡大して示した斜視図である。
【図６】ベースに取り付けた商品収納箱を示した斜視図である。
【図７】図６に示した商品収納箱の要部を示した側面図である。
【図８】ベースの上部を拡大して示した斜視図である。
【図９】ベースの上部を拡大して示した斜視図である。
【図１０】商品収納箱の右側面上部を拡大して示した斜視図である。
【図１１】商品収納箱の右側面上部の内部を拡大して示した斜視図である。
【符号の説明】
【００４９】
１        本体キャビネット
２        商品収容庫
１０      商品収納ラック
２０      商品収納箱
２１      ストッパ機構
２２      調整部材
２３      フラッパ部材
２３ａ    商品投入口
２４      係合片
２４ａ    突出端部
２５      規制部材
２６      係止孔
２７      凹部
２８      凸部
３０      ベース
３０ａ    商品収納領域
３１      レール部材
３１ａ    係合孔
３２      係止部材
３３      係止端部
４０ａ    商品収納域
４１      支持部材
４２      アダプタ部材
【図１】
2008299609.tif 000003
【図２】
2008299609.tif 000004
【図３】
2008299609.tif 000005
【図４】
2008299609.tif 000006
【図５】
2008299609.tif 000007
【図６】
2008299609.tif 000008
【図７】
2008299609.tif 000009
【図８】
2008299609.tif 000010
【図９】
2008299609.tif 000011
【図１０】
2008299609.tif 000012
【図１１】
2008299609.tif 000013